(57)【特許請求の範囲】
【請求項１】
三方枠を支持するため、一組の縦枠を着脱自在に固定して保持するエレベータの乗場三方枠の運搬補助具において、
少なくとも断面コ字状部を有し、側面の長さ方向に長孔を有するとともに、長さ方向の両端に開口部を有する第１の枠体と、
この第１の枠体の前記両開口部から長さ方向に挿入自在に構成され、上面に長さ方向へのスリットを有するとともに前記長孔に対応する位置に固定部を設けた一対の第２の枠体と、
この一対の第２の枠体の前記スリットと前記縦枠の底面に設けられた取り付け孔とが重なった位置で、スリットと取り付け孔とを介して前記一組の縦枠をこの一対の第２の枠体に固定する第１の固定具と、
前記第１の枠体の長孔を介し、前記固定部との間で第１の枠体を前記一対の第２の枠体に固定する第２の固定具とを具備し、
前記第１の枠体は長さ方向に２分割され上面または下面に設けられた蝶番で折畳み自在に構成されたことを特徴とするエレベータの乗場三方枠の運搬補助具。
【請求項２】
前記第２の枠体は、その外周面に、この第２の枠体の長さ方向とは直交する方向に線引き表示されたことを特徴とする請求項１記載のエレベータの乗場三方枠の運搬補助具。
【請求項３】
前記第２の枠体内に、当該枠体を構成する壁面のいずれかに開口部を有する部品収納用の有底箱体を設けたことを特徴とする請求項１または２記載のエレベータの乗場三方枠の運搬補助具。
【発明の詳細な説明】
【０００１】
【発明の属する技術分野】
本発明は、エレベータの乗場三方枠の輸送等に際し使用される運搬補助具の改良に関する。
【０００２】
【従来の技術】
ビル等の建物に設置されるエレベータでは、各階床での乗場出入り口装置として乗場開閉ドアや敷居とともに乗場三方枠が据付けられる。三方枠は左右一対の縦枠と上枠との組み立てで構成されるが、組み立てられた三方枠が製造元から据付け現場までの搬送移動中に、変形したり、あるいは縦枠と上枠との接合部に隙間が生じるのを防止するため運搬補助具が使用される。
【０００３】
従来の乗場三方枠の運搬補助具は、図６（ａ）に示すように三方枠１の占める床面積より大きい断面コ字形の補強枠２からなり、補強枠２は三方枠１の各縦枠１１底部１１ａの取り付け孔により、ボルト３によりねじ止め固定されて使用される。断面コ字形の補強枠２は図６（ａ）のように１個で構成されることもあれば、図６（ｂ）に示すように一対の縦枠１１，１１各底部１１ａのそれぞれ乗場側及びエレベータ側の各取り付け孔に対応するように、前後に２個設けられ、並設して使用される場合もある。
【０００４】
ところで、客先の希望や据付けられるエレベータの形式によって、あるいは乗場開閉ドアの種類等によって、その乗場出入り口の形状や大きさが異なることが多い。従って、縦枠１１の横断面を図７に示したように、当然ながら三方枠１自体の出入り口幅Ｗや枠幅Ｄ、あるいは乗場方向へ向けての開き角度α等はその乗場出入り口の個々の設計によって異なることが多く、補強枠２等の運搬補助具の大きさや形も三方枠１の種類に対応してその都度異なる形状、寸法で製造されていた。
【０００５】
【発明が解決しようとする課題】
上記のように、三方枠の搬送移動に際し、変形等を防ぐために用いられる補強枠等の従来の運搬補助具は、個々の三方枠の形式や種類に応じて、その都度固有の形状及び大きさに製造されていた。
【０００６】
従って、一度使用された運搬補助具は再利用されることが少なく、輸送先の現場で三方枠が据付けられた後は、補強枠は用済みとなり多くは廃棄処分されていたが、これら運搬補助具が一度の使用のみで廃棄されるのは、資源の有効利用の点からも望ましくなく改善が要望されていた。
【０００７】
【課題を解決するための手段】
上記課題を解決するため、本発明は、三方枠を支持するため、一組の縦枠を着脱自在に固定して保持するエレベータの乗場三方枠の運搬補助具において、少なくとも断面コ字状部を有し、側面の長さ方向に長孔を有するとともに、長さ方向の両端に開口部を有する第１の枠体と、この第１の枠体の前記両開口部から長さ方向に挿入自在に構成され、上面に長さ方向へのスリットを有するとともに前記長孔に対応する位置に固定部を設けた一対の第２の枠体と、この一対の第２の枠体の前記スリットと前記縦枠の底面に設けられた取り付け孔とが重なった位置で、スリットと取り付け孔とを介して前記一組の縦枠をこの一対の第２の枠体に固定する第１の固定具と、前記第１の枠体の長孔を介し、前記固定部との間で第１の枠体を前記一対の第２の枠体に固定する第２の固定具とを具備し、前記第１の枠体は長さ方向に２分割され上面または下面に設けられた蝶番で折畳み自在に構成されたことを特徴とする。
上記構成によれば、任意の形状・大きさの三方枠に対応できるとともに、第２の各枠体が中央の第１の枠体の両側に位置し共通して支持されるので、三方枠を固定した状態で構造上安定するとともに不使用時はコンパクトに収納することができる。
【００１３】
【発明の実施の形態】
以下、本発明によるエレベータの乗場三方枠の運搬補助具の一実施の形態を図１ないし図５を参照し詳細に説明する。なお、図６及び図７に示した従来の運搬補助具と同一構成には同一符号を付して詳細な説明は省略する。また、本発明の運搬補助具は、図６（ｂ）に示した従来の運搬補助具のように、左右一対の縦枠１１の取り付け孔に対応するように、同一構成からなる運搬補助具を２個並設して使用するものであるから、その２個の内の一方について以下説明し、他方についての説明は省略する。
【００１４】
すなわち、図１は運搬補助具４の一実施の形態に係る斜視図を示したもので、基本部分は中央部の第１の枠体４１と、この第１の枠体４１の両端側から長さ方向にはめ込み収納自在に構成された一対の第２の枠体４２とで構成される。
【００１５】
まず、中央部の第１の枠体４１は、図２にも拡大して示したように、少なくとも断面コ字状部を有する筒状体からなり、長さ方向の両端に開口部４１１を有するとともに、一方の側面４１２には長さ方向に長孔４１２ａが設けられている。また、第１の枠体４１は、中央部で長さ方向に２分割され、図３にも示すように蝶番４１３により折畳み自在に構成されている。なお、蝶番４１３は第１の枠体４１の上面に取り付けたが、場合によっては下底面に取り付けても良い。
【００１６】
運搬補助具４としての使用時は、第１の枠体４１の側面４１２に設けたフック４１４ａ及びこのフック４１４ａに係合するピン４１４ｂからなる掛け具４１４で固定する。
【００１７】
一方、一対の第２の枠体４２は、２個の内の１個を図４に拡大して示すように、断面コ字状からなり、第１の枠体４１の前記開口部４１１に向け矢印で示す方向（長さ方向）に向けはめ込み挿入自在に構成されるとともに、上面４２１には長さ方向に沿ってスリット４２１ａ及びやや径大な開口４２１ｂを設けて構成されている。なお、この第２の枠体４２の側面４２２の下端部は、前記第１の枠体４１に挿入され組み合わされたとき、両枠体（４１，４２）の上面が地面に対し水平となるよう段付き４２２ａが形成されている。
【００１８】
また、第２の枠体４２の上面４２１に形成された開口４２１ｂは、その裏側に形成された有底箱体４２３の開口部となるもので、この第２の枠体４２が第１の枠体４１内に収納されたとき、開口４２１ｂは第１の枠体４１に蓋されるように構成されている。
【００１９】
また、図５は図１のＹ−Ｙ線から矢印方向を見た拡大断面図であり、この図５にも示すように、この第２の枠体４２の側面４２２の端部（図示左側）裏側から、第１の枠体４１の長孔４１２ａに開口する位置に、六角ナット５１からなる固定部を設け、図２に示すように蝶ボルト５２との組み合わせにより、第１の枠体４１と第２の枠体４２とを固定する。
【００２０】
このように、六角ナット５１と蝶ボルト５２とからなる固定具５は、長孔４１２ａ内の任意の位置で固定できるから、運搬補助具４を一組の三方枠縦枠１１の形状に合わせ位置決めし取り付けた状態で、第１及び第２の枠体４１，４２を互いに固定するものである。
【００２１】
さらに、図５にも示したように、第２の枠体４２の上面４２１裏側からは六角ボルト６１を突き出し、カラー６２及び縦枠１１底部１１ａの取り付け孔１１ａａを通し、蝶ナット６３で締め付け固定するように構成した。
【００２２】
従って、第２の枠体４２のスリット４２１ａと縦枠１１の底部１１ａの取り付け孔１１ａａとを位置合わせし、六角ボルト６１、カラー６２及び蝶ナット６３からなる固定具６により、三方枠１の縦枠１１をこの第２の枠体４２にねじ止め固定することができる。なお、カラー６２は三方枠１の縦枠１１底面が建屋の乗場床面と同一である場合と、縦枠１１が床面より下がる場合とがあるのでカラー６２によりその高さ調整を行うものである。
【００２３】
また、この実施の形態では、図４に示すように、第２の枠体４２の外周面に、その長さ方向とは直交する方向に実線及び点線で示すように複数本横断線４２４を表示し、第２の枠体４２を第１の枠体４１から引き出した際の長さを知ることができるように構成した。この結果、横断線４２４による線引き表示を目印にして、三方枠１の一対の縦枠１１間隔に応じた運搬補助具４の実質上の長さを設定することができる。また、この線引き表示とともに、記号による目盛り表示や色分け表示等、適宜選択しあるいはこれらを任意に併用して採用することによって、より短時間に三方枠１への運搬補助具４の取り付け作業を行うことができる。
【００２４】
また、第２の枠体４２の端部には径大な開口部４２１ｂを有する有底箱体４２３を設けたが、この運搬補助具４の使用が終了し、再利用のため保管あるいは製造元へ返却する場合には、六角ナット５１、蝶ボルト５２、六角ボルト６１、カラー６２及び蝶ナット６３の取り外しが行われるが、取り外したこれらの部品を有底箱体４２３内に収納できる。有底箱体４２３は、第２の枠体４２を第１の枠体４１に収納したとき、第２の枠体の開口部４２１ｂが第１の枠体４１に蓋されるから、図３に示したように、蝶番４１３により折畳んだ状態とし、コンパクト化した状態でも、これら部品は確実かつ安全に収納され、保管できる。
【００２５】
なお、上記実施の形態では、運搬補助具４の長さが三方枠１縦枠１１の左右の間隔の長さに応じて変更でき、かつ折畳みによってコンパクトに収納できることを説明したが、同様な目的を達成できる構成として、一対の第２の枠体４２の内、一方を第１の枠体４１と兼用させるよう構成しても良い。
【００２６】
そのためには、一対の第２の枠体４２，４２の内、一方が他方に収納自在となるよう枠体の大きさを変えて構成し、外側の枠体に上記実施の形態の第１の枠体の機能構成、すなわち長孔４１２ａを形成し、位置決めされたところで蝶ボルト５２で両枠体（４２，４２）を固定するよう構成することができる。
【００２７】
さらに、上記実施の形態では、運搬補助具４の長さを可変できるものとして説明したが、長さ一定としても、大きさの異なる三方枠１に対応できる運搬補助具４を構成できる。
【００２８】
すなわち、その場合は、第１の枠体４１を省き、一対の第２の枠体４２を一体化して構成すれば良い。つまり単に第２の枠体４２の上面に長さ方向に沿ってスリット４２１ａを設け、単にこのスリット４２１ａと縦枠１１の底面に設けられた取り付け孔１１ａａとを一致させた位置で、六角ボルト６１及び蝶ナット６３により一組の縦枠１１を固定しても、スリット４２１ａにより任意の長さに固定位置を定めることができ、種々の三方枠１に対応して使用することができる。
【００２９】
また、上述したようにこの発明を構成する各枠体４１，４２は、少なくとも断面コ字状部を有すれば良いので、文字通り横断面がコ字状をなすものでも、断面の一部がコ字状をなすいわゆる断面矩形状の筒体であっても良い。
【００３０】
いずれにしても、この発明による乗場三方枠の運搬補助具は、任意の形状、大きさの三方枠に対応し、汎用性を有して、繰り返し使用に耐え得るものであり、実際に使用して大きな効果が得られる。
【００３１】
【発明の効果】
以上のように、この発明による三方枠の運搬補助具は、簡単な構成で汎用性に富む構造をなし、多種多様な三方枠に適用し、繰り返し使用が可能であり、実用に際して得られる効果大である。
【図面の簡単な説明】
【図１】本発明によるエレベータの乗場三方枠の運搬補助具の一実施の形態を示す斜視図である。
【図２】図１に示す運搬補助具の第１の枠体を示す拡大斜視図である。
【図３】図１に示す運搬補助具を折畳んだときの側面図である。
【図４】図１に示す運搬補助具の第２の枠体を示す拡大斜視図である。
【図５】図１の運搬補助具をＹ−Ｙ線より矢印方向を見た断面図である。
【図６】従来のエレベータの乗場三方枠の運搬補助具を示す斜視図である。
【図７】図６に示した乗場三方枠の平面図である。
【符号の説明】
１  三方枠
１１  縦枠
１１ａ  底部
１１ａａ  取り付け孔
２  補強枠
３  ボルト
４  運搬補助具
４１  第１の枠体
４１１  開口部
４１２ａ  長孔
４２  第２の枠体
４２１ａ  スリット
５  固定具
５１  六角ナット（固定部）
５２  蝶ボルト
６  固定具
６１  六角ボルト
６２  カラー
６３  蝶ナット
【図１】
0003944867.tif 000002
【図２】
0003944867.tif 000003
【図３】
0003944867.tif 000004
【図４】
0003944867.tif 000005
【図５】
0003944867.tif 000006
【図６】
0003944867.tif 000007
【図７】
0003944867.tif 000008